(57)【要約】【課題】狭いスペースに設置可能な排水ソケットを提供する。【解決手段】便器本体５１の排水口５７に接続されるソケット部１１と、床面３１で開口した排水管の流入口３２に接続される排水接続部１２と、前記ソケット部１１に連通し、後方に向けて開口する背面接続部１４と、下流端部が前記背面接続部１４に接続され、上流端部が手洗排水管４２に接続可能とされ、前記便器本体５１の後端部より後方で前記便器本体の左右方向または上下方向に延びるとともに、その断面形状が、前後方向の寸法に比して前後方向に対して略直交する方向の寸法が大きくされた扁平形状をなす管部２６を有する排水接続部材１３と、を備えている。【選択図】図５
2015206187.tif 000002
【特許請求の範囲】
【請求項１】
便器本体の排水口に接続されるソケット部と、
床面で開口した排水管の流入口に接続される排水接続部と、
前記ソケット部に連通し、後方に向けて開口する背面接続部と、
下流端部が前記背面接続部に接続され、上流端部が手洗排水管に接続可能とされ、前記便器本体の後端部より後方で前記便器本体の左右方向または上下方向に延びるとともに、その断面形状が、前後方向の寸法に比して前後方向に対して略直交する方向の寸法が大きくされた扁平形状をなす管部を有する排水接続部材と、
を備えた排水ソケット。
【請求項２】
前記排水接続部材のうち前記手洗排水管との接続部が円筒形状をなしている請求項１に記載の排水ソケット。
【請求項３】
前記排水接続部材が、前記手洗排水管との接続部から前記管部にかけて断面形状が少しずつ変化する断面変化部を有している請求項２に記載の排水ソケット。
【請求項４】
前記管部が、前記手洗排水管との接続部を、前記便器本体の後端部よりも左右外側に位置させる長さ寸法を有している請求項１ないし請求項３のいずれか一項に記載の排水ソケット。
【請求項５】
前記排水接続部材の後端が、凹凸のない形状とされている請求項１ないし請求項４のいずれか一項に記載の排水ソケット。
【発明の詳細な説明】
【技術分野】
【０００１】
本発明は、排水ソケットに関する。
【背景技術】
【０００２】
従来、トイレルームに設置された手洗器からの排水を、便器からの排水とともに床面で開口した排水管の流入口に排出するための排水ソケットが知られている。この種の排水ソケットを用いることにより、例えば、リフォーム等によってトイレルームに新たに手洗器を設置する場合に、手洗器用の排水管を別途床面に配管する必要がない。
【０００３】
この排水ソケットの一例として、例えば下記特許文献１に記載の排水ソケットは、便器本体の排水口に接続されるソケット部と、床面で開口した排水管の流入口に接続される排水接続部とを有し、その背面側に、手洗排水管が接続される排水接続部材が接続されている。手洗排水管と排水接続部材とは、便器本体の後方の隠れた部分において接続される。
【先行技術文献】
【特許文献】
【０００４】
【特許文献１】特許第４１９７９６０号公報
【発明の概要】
【発明が解決しようとする課題】
【０００５】
しかしながら上記のような排水ソケットでは、便器本体の後方に、排水接続部材を配置するためのスペースが必要である。このため、例えば床面で開口した排水管の流入口とトイレルームの壁面とが近接していて、便器本体の後方に排水接続部材を配置するだけの十分なスペースがない場合には、上記のような排水ソケットを使用することができず、トイレルームに手洗器を設置することは困難であった。
【０００６】
本発明は上記のような事情に基づいて完成されたものであって、狭いスペースに設置可能な排水ソケットを提供することを目的とする。
【課題を解決するための手段】
【０００７】
本発明の排水ソケットは、便器本体の排水口に接続されるソケット部と、床面で開口した排水管の流入口に接続される排水接続部と、前記ソケット部に連通し、後方に向けて開口する背面接続部と、下流端部が前記背面接続部に接続され、上流端部が手洗排水管に接続可能とされ、前記便器本体の後端部より後方で前記便器本体の左右方向または上下方向に延びるとともに、その断面形状が、前後方向の寸法に比して前後方向に対して略直交する方向の寸法が大きくされた扁平形状をなす管部を有する排水接続部材と、を備えている。
【発明の効果】
【０００８】
本発明によれば、排水接続部材の管部が、例えば前後方向の寸法と前後方向に対して略直交する方向の寸法とが同等とされた断面形状をなす場合、または前後方向の寸法に比して前後方向に対して略直交する方向の寸法が小さくされた断面形状をなす場合に比して、排水流量を多く確保しつつ排水接続部材の前後方向の寸法を小さくすることができるから、排水ソケットを狭いスペースに設置することができる。
【図面の簡単な説明】
【０００９】
【図１】本実施例における水洗式便器および手洗器がトイレルームに設置された状態を示す側断面図
【図２】背面側から見た排水ソケットを示す斜視図
【図３】排水ソケットおよび水洗式便器がトイレルームに設置された状態を示す平断面図
【図４】背面接続部、排水接続部材および手洗排水管の接続構造を示す一部拡大平断面図
【図５】排水接続部材の管部の断面形状を示す断面図であって、図４のＡ−Ａ位置における断面に相当する断面図
【発明を実施するための形態】
【００１０】
本発明の好ましい形態を以下に示す。
本発明の排水ソケットは、前記排水接続部材のうち前記手洗排水管との接続部が円筒形状をなしているものとしてもよい。このような構成によれば、例えば手洗排水管との接続部が角筒形状である場合に比して、円筒形状の接続部は隙間なく嵌合しやすいから、手洗排水管との接続信頼性を高めることができる。
【００１１】
また、本発明の排水ソケットは、前記排水接続部材が、前記手洗排水管との接続部から前記管部にかけて断面形状が少しずつ変化する断面変化部を有しているものとしてもよい。このような構成によれば、手洗い水をスムーズに排水することができるため、排水接続部材内においてサイホン作用が発生することを防ぐことができ、手洗排水トラップの封水切れを防止することができる。
【００１２】
また、本発明の排水ソケットは、前記管部が、前記手洗排水管との接続部を、前記便器本体の後端部よりも左右外側に位置させる長さ寸法を有しているものとしてもよい。このような構成によれば、排水接続部材に手洗排水管を接続する作業を便器本体の左右外側で行うことができるから、この接続作業を便器本体後方の狭いスペースにおいて行う場合に比して容易に行うことができる。
【００１３】
また、本発明の排水ソケットは、前記排水接続部材の後端が、凹凸のない形状とされているものとしてもよい。このような構成によれば、例えば排水接続部材の後端に突出部がある場合に比して、より狭いスペースでも排水ソケットを配置することができる。
【００１４】
＜実施例＞
以下、本発明を具体化した一実施例について、図１〜図５を参照しつつ詳細に説明する。
本実施例における排水ソケット１０は、トイレルーム３０に設置された手洗器４０からの排水を、水洗式便器５０からの排水とともに床面３１で開口した排水管の流入口３２に排出するものである。トイレルーム３０は、左右両側の側壁面と、その奥側の奥壁面３４とに囲まれてなり、水洗式便器５０はトイレルーム３０の後述する便器本体５１の左側の側壁面に近づいた位置に設置され、手洗器４０は後述する便器本体５１の右側の側壁面に設置されている。なお、便器本体５１の左側は、図１においては手前側、便器本体５１の右側は、図１においては奥側、便器本体５１の前側は、図１においては左側、便器本体５１の後側は、図１においては右側に示されている。
【００１５】
水洗式便器５０は、便鉢部５２を有する便器本体５１と、便鉢部５２に洗浄水を供給する洗浄タンク５３とを備えている。洗浄タンク５３は、便器本体５１の後部上面に固定されている。なお、洗浄タンク５３および便器本体５１の後部は奥壁面３４に沿って設けられた奥壁キャビネット３５内に収納されている。
【００１６】
便器本体５１は、便鉢部５２の下流側に連通した便器排水路５４を備えている。便器排水路５４は、便鉢部５２の封水面Ｌよりも下方に設けられた流出口５５の下流側に連続して形成されている。流出口５５は、略垂直方向下向きに開口している。
【００１７】
便器排水路５４は、流出口５５から斜め後方に下降する第１下降流路５４Ｆと、この第１下降流路５４Ｆの下流側に連続して形成され、斜め後方に上昇する上昇流路５４Ｇと、この上昇流路５４Ｇの下流側に連続して形成され、略垂直方向に下降する第２下降流路５４Ｈとを有している。第２下降流路５４Ｈの下端部は、下方に突出した形状をなす排水管部５６内に形成されている。排水管部５６の下流端（以下、便器本体５１の排水口５７と称する）には、後述する排水ソケット１０が接続される（図２参照）。便器本体５１の排水口５７は、便器本体５１の左右方向（幅方向）における中央に位置している。
なお、便器本体５１の上面側には、回動自在に軸支された便座５８及び便蓋５９が備えられている。
【００１８】
手洗器４０は、トイレルーム３０の側壁面に沿って設けられた側壁キャビネット３６の天板上に固定されている（図１参照）。
手洗器４０の排水口４１には、手洗排水管４２の上流端部が接続され、手洗排水管４２の途中には手洗排水トラップ４３が設けられている。手洗排水管４２の下流端部は、排水接続部材１３に接続され、手洗排水は、手洗排水管４２を流下して排水ソケット１０に流入する。なお、手洗排水管４２は、側壁キャビネット３６内および奥壁キャビネット３５内に配されている。
【００１９】
排水ソケット１０は、便器本体５１の排水口５７に接続されるソケット部１１と、床面３１に配置された排水管の流入口３２に接続される排水接続部１２と、手洗排水管４２が接続可能とされた排水接続部材１３が接続される背面接続部１４と、を備えている。
【００２０】
ソケット部１１には、便器本体５１の排水口５７が上方から差し込まれて接続される。また、排水接続部１２には床面３１に固定されるフランジ部１５が設けられている。
【００２１】
ソケット部１１と排水接続部１２との間にはアジャスター部１６が設けられている。アジャスター部１６の長さ寸法を調整することにより、床面３１に配置された排水管の流入口３２の位置と便器本体５１の設置位置とに合わせて、排水接続部１２とソケット部１１との距離を調整することができる。
【００２２】
背面接続部１４は、ソケット部１１の後方に設けられて、後方に向けて開口する接続孔１７を有している（図４参照）。背面接続部１４は、円筒状をなして後方に向かって突出しており、その外周には鍔部１８が設けられている。
【００２３】
排水接続部材１３は、全体として軸方向に長い筒形状をなし、その下流端部は背面接続部１４に接続される第１接続部１９、上流端部は手洗排水管４２に接続される第２接続部２１（手洗排水管４２との接続部）とされている。
【００２４】
第１接続部１９には、図４に示すように、背面接続部１４に内嵌する内嵌筒部２２が設けられるとともに、その外周には鍔部２３が設けられている。第１接続部１９と背面接続部１４とは、背面接続部１４内に内嵌筒部２２を嵌合するとともに、背面接続部１４の鍔部１８と第１接続部１９の鍔部２３とを突き合わせるようにして、その突き合わせた鍔部１８，２３同士をクリップ２４で挟み込むことにより接続固定される。
【００２５】
排水接続部材１３は、第１接続部１９を中心として左右に回動可能とされており、手洗器４０がトイレルーム３０の左右いずれの側壁面に設置されたとしても、その手洗器４０が設置された側に、第２接続部２１を向けることができる。
【００２６】
排水接続部材１３には、支持棒２５が一体に設けられている（図２参照）。この支持棒２５が床面３１に当接することで、排水接続部材１３は、第２接続部２１を左右両側のいずれに向けても、良好な排水勾配を有した斜め姿勢に支持される。
【００２７】
第２接続部２１は、内周面が断面円形状をなす円筒形状に形成され、その内側に、手洗排水管４２の端部が差し込まれて接続される（図４参照）。第２接続部２１と手洗排水管４２の端部とは、接着剤等によって接着される。なお、第２接続部２１が円筒形状をなしているから、汎用性に富む一般的な円筒形状をなす手洗排水管４２を良好に接続することができる。
【００２８】
排水接続部材１３には、便器本体５１の後端部より後方で便器本体５１の左右方向または上下方向に延びる管部２６が設けられている。
【００２９】
管部２６の断面形状は、図５に示すように、前後方向（図５では左右方向）の寸法に比して前後方向に対して略直交する方向（図５では上下方向）の寸法が大きくされた扁平形状をなしている。管部２６の断面は半円形状をなし、その後面（トイレルーム３０の奥壁面３４に対向する側の面）は、円弧状をなして湾曲する湾曲部２７とされ、前面（便器本体５１に対向する側の面）は、平らな平面部２８とされている。なお、管部２６は、平面部２８が略垂直をなすように配される。
【００３０】
管部２６の前後方向の寸法は、第２接続部２１の前後方向の寸法（円形断面の直径）の略半分程度の寸法とされている。また、管部２６の長さ寸法は、図４に示すように、第２接続部２１を、便器本体５１の後端部よりも左右外側に位置させる寸法とされている。
【００３１】
第２接続部２１と管部２６との間には、第２接続部２１から管部２６にかけて断面形状が少しずつ変化する断面変化部２９が設けられている。断面変化部２９のうち第２接続部２１側の端の断面は、第２接続部２１の断面と略同形の円形状をなし、管部２６側の端の断面は、管部２６の断面と略同形の扁平形状をなしている。
【００３２】
断面変化部２９は、第２接続部２１側の端から管部２６側の端に向かって、前面が少しずつ後方に引っ込む（潰れる）ようにして前後方向の寸法が少しずつ減じるものとされている。断面変化部２９の前面は、第２接続部２１側から管部２６側に向かって斜めに傾斜している。一方、断面変化部２９の後面は周方向に湾曲している。排水接続部材１３の後端は、第２接続部２１、断面変化部２９および管部２６の全体にわたって段差なく連なり、前後方向に凹凸のない形状とされている（図４参照）。
【００３３】
次に、上記のように構成された実施例の作用および効果について説明する。
本実施例の排水ソケット１０は、便器本体５１の排水口５７に接続されるソケット部１１と、床面３１で開口した排水管の流入口３２に接続される排水接続部１２と、ソケット部１１に連通し、後方に向けて開口する背面接続部１４と、下流端部が背面接続部１４に接続され、上流端部が手洗排水管４２に接続可能とされ、便器本体５１の後端部より後方で便器本体５１の左右方向または上下方向に延びるとともに、その断面形状が、前後方向の寸法に比して前後方向に対して略直交する方向の寸法が大きくされた扁平形状をなす管部２６を有する排水接続部材１３と、を備えている。
【００３４】
この構成によれば、排水接続部材１３の管部２６が、例えば前後方向の寸法と前後方向に対して略直交する方向の寸法とが同等とされた断面形状をなす場合、または前後方向の寸法に比して前後方向に対して略直交する方向の寸法が小さくされた断面形状をなす場合に比して、排水流量を多く確保しつつ排水接続部材１３の前後方向の寸法を小さくすることができるから、排水ソケット１０を狭いスペースに設置することができる。
【００３５】
また、排水接続部材１３の前後方向の寸法が小さくされているから、図４に示すように、便器本体５１の後面に凹み形状を形成することなく、便器本体５１と排水接続部材１３との干渉を防ぐことができる。
【００３６】
さらに、排水ソケット１０の前後方向の寸法が従来よりも小さくされているから、その分、ソケット部１１をトイレルーム３０の奥壁面３４に近接して配置することができる。これにより、トイレルーム３０内において便器本体５１をより後方に配置することができるから、トイレルーム３０の前方のスペース（便器本体５１の前側のスペース）をより広くすることができる。
【００３７】
また、排水接続部材１３のうち手洗排水管４２との接続部である第２接続部２１が円筒形状をなしている。この構成によれば、例えば手洗排水管との接続部が角筒形状である場合に比して、円筒形状の接続部は隙間なく嵌合しやすいから、手洗排水管４２との接続信頼性を高めることができる。
【００３８】
また、排水接続部材１３が、手洗排水管４２との接続部である第２接続部２１から管部２６にかけて断面形状が少しずつ変化する断面変化部２９を有している。この構成によれば、排水接続部材１３内をスムーズに手洗い水が流れるため、排水接続部材１３においてサイホン作用が発生することを防ぐことができ、手洗排水トラップ４３の封水切れを防止することができる。
【００３９】
また、排水接続部材１３が断面変化部２９を有しているから、第２接続部２１に手洗排水管４２を接続する際、図４に示すように、第２接続部２１に差し込まれた手洗排水管４２の端縁が、断面変化部２９と第２接続部２１との境界に当接し、それ以上の差し込みが制限される。すなわち、断面変化部２９がストッパとして機能するから、手洗排水管４２の接続作業を容易に行うことができる。
【００４０】
また、管部２６が、手洗排水管４２との接続部である第２接続部２１を、便器本体５１の後端部よりも左右外側に位置させる長さ寸法を有している。この構成によれば、排水接続部材１３に手洗排水管４２を接続する作業を便器本体５１の左右外側で行うことができるから、この接続作業を便器本体５１後方の狭いスペースにおいて行う場合に比して容易に行うことができる。
【００４１】
また、排水接続部材１３の後端が、凹凸のない形状とされている。この構成によれば、例えば排水接続部材の後端に突出部がある場合に比して、より狭いスペースでも排水ソケット１０を配置することができる。
【００４２】
＜他の実施例＞
本発明は上記記述及び図面によって説明した実施例に限定されるものではなく、例えば次のような実施例も本発明の技術的範囲に含まれる。
（１）上記実施例では、排水接続部材１３の第２接続部２１が円筒形状をなしているが、これに限らず、排水接続部材の第２接続部を他の形状としてもよい。
（２）上記実施例では、管部２６の断面は半円形状をなしているが、これに限らず、管部の断面は、前後方向の寸法が小さい扁平形状であればどのような形状であってもよく、例えば、楕円形状または長円形状等であってもよい。
（３）上記実施例では、断面変化部２９は、前面側が潰れるようにして前後の寸法が減じるものとされているが、これに限らず、断面変化部は、例えば前後両面側が潰れるようにして前後の寸法が減じるものとしてもよい。
（４）上記実施例では、管部２６が、第２接続部２１を便器本体５１の後端部よりも左右外側に位置させる長さ寸法を有しているが、必ずしもこのような長さ寸法を有していなくてもよい。
【符号の説明】
【００４３】
１０…排水ソケット
１１…ソケット部
１２…排水接続部
１３…排水接続部材
１４…背面接続部
２１…第２接続部（手洗排水管との接続部）
２６…管部
２９…断面変化部
３１…床面
３２…排水管の流入口
４２…手洗排水管
５１…便器本体
５７…排水口
【図１】
2015206187.tif 000003
【図２】
2015206187.tif 000004
【図３】
2015206187.tif 000005
【図４】
2015206187.tif 000006
【図５】
2015206187.tif 000007